(57)【要約】【課題】二枚の扉をフリーの状態で使用してもラッチボルトと受金の係合が解除されることがない観音開き型扉用施錠装置を提供する。【解決手段】垂直方向のヒンジピンでボックス本体に枢着した観音開き型の二枚の扉の一方に錠前ユニットを設け、前記二枚の扉の他方に受金を設け、前記錠前ユニットの回転出力部に連動装備したラッチボルトを前記受金に係合させて、前記二枚の扉を閉鎖位置に錠止する観音開き型扉用施錠装置において、前記錠前ユニットが設けられる前記一方の扉の正面側に前記錠前ユニットと前記ラッチボルトの収容ケースを設け、前記収容ケースの側面部に前記ラッチボルトが垂直方向に出入りするガイド孔を設け、前記受金を前記他方の扉の正面側に配置して設け、前記受金に前記一方の扉の正面側に張り出す延長部を形成し、前記延長部の側面部に前記ラッチボルトが係合する受孔を垂直方向に形成する。【選択図】図４
2010101086.tif 000002
【特許請求の範囲】
【請求項１】
垂直方向のヒンジピンによってボックス本体に枢着された観音開き型の二枚の扉の一方に錠前ユニット錠を設け、前記二枚の扉の他方に受金を設け、前記錠前ユニットの回転出力部に連動装備したラッチボルトを前記受金に係合させることによって、前記二枚の扉を閉鎖位置に錠止する観音開き型扉用施錠装置において、
前記錠前ユニットが設けられる前記一方の扉の正面側に前記錠前ユニットと前記ラッチボルトの収容ケースを設け、前記収容ケースの側面部に前記ラッチボルトが垂直方向に出入りするガイド孔を設け、前記受金を前記他方の扉の正面側に配置して設け、前記受金に前記一方の扉の正面側に張り出す延長部を形成し、前記延長部の側面部に前記ラッチボルトが係合する受孔を垂直方向に形成したことを特徴とする観音開き型扉用施錠装置。
【発明の詳細な説明】
【技術分野】
【０００１】
本発明は、錠前ユニットの回転出力部に連動装備したラッチボルトによって扉を閉鎖位置に錠止する観音開き型扉用施錠装置の改良に関する。
【背景技術】
【０００２】
垂直方向のヒンジピンによって観音開き型の二枚の扉をボックス本体に枢着し、前記二枚の扉の一方に錠前ユニットを設け、前記二枚の扉の他方に受金を設け、前記錠前ユニットの回転出力部に連動装備したラッチボルトを前記受金に係合させることによって、前記二枚の扉を閉鎖位置に錠止することは従来から行なわれている。
【０００３】
このような観音開き型扉用施錠装置のラッチボルト機構では、前記ラッチボルトの収容ケースは前記一方の扉の背面側に配置され、前記受金は前記他方の扉の背面側に配置されており、ラッチボルトが出入りするガイド孔は前記収容ケースの側面部に水平方向に設けられ、ラッチボルトが係合する受孔は前記受金に水平方向に設けられている。
【０００４】
前記他方の扉を閉鎖位置に保持した状態において前記一方の扉を閉鎖方向に回転操作したとき、扉の回転終端域において前記ラッチボルトの先端カム斜面が前記他方の扉の縁面または前記受金の縁面と協働することによって、前記ラッチボルトが一旦水平方向に後退し、当該扉が正規の全閉位置まで回転したとき、バネ付勢によって前記ラッチボルトが水平方向に前進し、前記受金の受孔に係合する（以下、ラッチ動作という）ようになっている（特許文献１参照）。
【０００５】
しかしながら、ボックスのユーザーによっては、前記受金の設けられた前記他方の扉を閉鎖位置に保持せず、前記二枚の扉をいずれもフリーに開閉回転できるようにするセットする使用形態が採られることがある。
ラッチボルトを使用した錠止装置では、一般に前記ラッチ動作のストロークが短く、元々ラッチボルトと受金の係合長さが短いものであるため、上記のように二枚の扉がフリー状態に置かれている使用形態では、要であるデッドボルトが受金から抜け出てしまい、錠止が成立しないか、一旦成立しても直ぐに解除されてしまう危険があった。
このような現象を防止するにはラッチボルトと受金の係合長さを出来るだけ長く設定すればよいのであるが、それにも一定の限界がある。
【０００６】
【特許文献１】特開平１１−１８２１１７号公報
【発明の開示】
【発明が解決しようとする課題】
【０００７】
本発明の課題は、二枚の扉をフリーの状態で使用してもラッチボルトと受金の係合が解除されることがない観音開き型扉用施錠装置を提供することである。
【課題を解決するための手段】
【０００８】
本発明の特徴とするところは、垂直方向のヒンジピンによってボックス本体に枢着された観音開き型の二枚の扉の一方に錠前ユニットを設け、前記二枚の扉の他方に受金を設け、前記錠前ユニットの回転出力部に連動装備したラッチボルトを前記受金に係合させることによって、前記二枚の扉を閉鎖位置に錠止する観音開き型扉用施錠装置において、
前記錠前ユニットが設けられる前記一方の扉の正面側に前記錠前ユニットと前記ラッチボルトの収容ケースを設け、前記収容ケースの側面部に前記ラッチボルトが垂直方向に出入りするガイド孔を設け、前記受金を前記他方の扉の正面側に配置して設け、前記受金に前記一方の扉の正面側に張り出す延長部を形成し、前記延長部の側面部に前記ラッチボルトが係合する受孔を垂直方向に形成したことである。
【発明の効果】
【０００９】
本発明の観音開き型扉用施錠装置では、前記シリンダー錠と前記ラッチボルトの収容ケースを前記一方の扉の正面側に設け、前記受金を前記他方の扉の正面側に設け、前記受金に前記一方の扉の正面側に張り出す延長部を形成し、前記収容ケースの側面部に前記ラッチボルトのガイド孔を設け、前記延長部の側面部に前記ラッチボルトの受孔を設け、前記ラッチボルトを垂直方向に進退するように配置してあるため、前記二枚の扉を回転フリーの状態で使用しても、前記デッドボルトが前記受金から抜け出てしまって錠止が成立しないという現象、また、一旦錠止が成立しても直ぐに解除されてしまうという現象が的確に防止できる。
【実施例】
【００１０】
図示の実施例では、左右二枚の扉１，２は観音開き型の扉であり、左側の扉１は左側端部をボックス本体３の開口部４の左側縁部に垂直なヒンジピン（図示していない）によって枢着されている。右側の扉２は右側端部をボックス本体３の開口部４の右側縁部に別の垂直なヒンジピン（図示していない）によって枢着されている。
左側の扉１の正面側に配置された収容ケース５は、背面側に開口した３個の固着孔６に捻じ込まれるビス（図示していない）によって扉１に固着される。扉１には固着孔６に対応して３個のビス挿入孔７を設けてある。
【００１１】
右側の扉２の正面側に配置された受金８は正面視Ｌ字状であり、その主体部１１を背面側に開口した２個の固着孔９に捻じ込まれるビス（図示していない）によって扉２に固着される。扉２には固着孔９に対応して２個のビス挿入孔１０を設けてある。
受金８の延長部１２は水平に突出形成されており、左右の扉１，２が共に閉鎖位置にあるとき、延長部１２は収容ケース５の上面側に配置される。
【００１２】
収容ケース５の下半部分に収容された錠前ユニット１３としては、キー側にＣＰＵ、時計及び記憶装置を搭載し、ロック本体側にリーダを搭載しており、使用者のＩＤナンバー、使用履歴、使用時間・場所などの情報をデジタル信号として遣り取りする電子ロック方式の錠前ユニットが採用されている。この錠前ユニットとしては、通常のメカニカルなシリンダー錠も使用することができ、錠前ユニットの構造や作動方式は特に限定されない。
【００１３】
錠前ユニット１３の回転出力部１４の断面小判型軸部には、カム板１５が嵌合され、ナット１６によって締め付け固定されている。カム板１５の上端縁部の円弧状孔１７にはリンク板１８の下端部に装着した連結ピン１９が挿通されている。収容ケース５のベース板２０に形成したガイド筒部２１は、収容ケース５の上半分に配置されており、ガイド孔２２はガイド筒部２１の上面に開口している。
【００１４】
リンク板１８の上端部のスロット２３には別の連結ピン２４が挿通され、連結ピン２４によってリンク板１８がラッチボルト２５に連結されている。錠前ユニット１３の回転出力部１４が回転するとき、カム板１５とリンク板１８を含む連動機構の介在によって、ラッチボルト２５は垂直方向に移動することになる。ラッチボルト２５は、ガイド筒部２１の内底部とラッチボルト２５の首部の間に挿入された圧縮コイルバネ２６によって、突出方向に移動付勢されている。
【００１５】
ラッチボルト２５の長さ方向のスロット２７には規制ピン２８がガイド筒部２１を通して挿通されており、ラッチボルト２５の突出長さを規制している。収容ケース５のベース板２０は、４個の固着孔２９を通るビス（図示していない）によって収容ケース５に固定されている。
【００１６】
受孔３０は、受金８の水平な延長部１２の下面壁部に垂直方向に形成されている。ラッチボルト２５の上端部には傾斜カム面３１が形成されている。錠前ユニット１３はナット３２によって収容ケース５に固着されている。リンク板１８の上端部は、ラッチボルト２５の下端部の割溝３３に嵌挿されている。左側の扉１の右側端部の背面側にはストッパー板部３４がＬ字状に曲げ形成され、右側の扉２の左側端部の背面側には、ストッパー板部３４に当接する縁板部３５が曲げ形成されている。他方の扉２には放熱等に利用される貫通孔３６を設けてある。
【００１７】
２枚の扉１，２の閉鎖に当っては、受金８の延長部１２に扉１が干渉することのないようにするため、扉１が先に閉鎖され、その次に扉２が閉鎖される。この扉２の閉鎖の終端域において受金８の延長部１２の縁部がラッチボルト２５の傾斜カム面３１に当るため、ラッチボルト２５は圧縮コイルバネ２６の付勢に抗して下方向に後退する。扉１のストッパー板部３４に扉２の縁板部３５が当接する全閉位置に来たとき、収容ケース５側のガイド孔２２と受金８側の受孔３０が正対位置に来るため、ラッチボルト２５は圧縮コイルバネ２６の付勢によって上方向に前進し、ラッチボルト２５の先端部が受金８の受孔３０に係合する。これによって左右二枚の扉１，２はボックス本体３に対して錠止される。
【００１８】
この錠止は、錠前ユニット１３に所定のキー（図示していない）を使用して回転出力部１４を回すことによって解除される。回転出力部１４を回すと、カム板１５及びリンク板１８を含む連動機構の介在によって、ラッチボルト２５は下方向に後退し、ラッチボルト２５の先端部が受金８の延長部１２の受孔３０から抜け出る。
【図面の簡単な説明】
【００１９】
【図１】本発明の一実施例に係る観音開き型扉用施錠装置の正面図であり、施錠状態を示している。
【図２】図１の観音開き型扉用施錠装置の平面図である。
【図３】図１の観音開き型扉用施錠装置の左側面図である。
【図４】図１のＡ−Ａ線断面図である。
【図５】図３のＢ−Ｂ線断面図である。
【図６】図１の観音開き型扉用施錠装置が取り付けられる二枚の扉の要部正面図である。
【符号の説明】
【００２０】
１  一方の扉
２  他方の扉
３  ボックス本体
４  ボックス本体の開口部
５  収容ケース
６  収容ケースの固着孔
７  一方の扉のビス挿入孔
８  受金
９  受金の固着孔
１０  他方の扉のビス挿入孔
１１  受金の主体部
１２  受金の延長部
１３  錠前ユニット
１４  錠前ユニットの回転出力部
１５  カム板
１６  ナット
１７  カム板の円弧状孔
１８  リンク板
１９  連結ピン
２０  収容ケースのベース板
２１  収容ケースのガイド筒部
２２  収容ケースのガイド孔
２３  リンク板のスロット
２４  連結ピン
２５  ラッチボルト
２６  圧縮コイルバネ
２７  ラッチボルトのスロット
２８  規制ピン
２９  ベース板の固着孔
３０  受金の受孔
３１  ラッチボルトの傾斜カム面
３２  ナット
３３  ラッチボルトの割溝
３４  一方の扉のストッパー板部
３５  他方の扉の縁板部
３６  他方の扉の貫通孔
【図１】
2010101086.tif 000003
【図２】
2010101086.tif 000004
【図３】
2010101086.tif 000005
【図４】
2010101086.tif 000006
【図５】
2010101086.tif 000007
【図６】
2010101086.tif 000008